(57)【要約】  【課題】  天井裏側にあるダクトから天井面を貫通して室内側まで伸びるノズルを備えて、ノズルの先端吹出し口から空調エアを吹出すノズル空調吹出し装置において、簡単な構成で、効果的に天井付近の空気を循環させることができ、熱気の滞留を防ぐことができるようにする。  【解決手段】  ノズル２０の室内側の天井面１４付近の側面に開口２６ｄを設けて、開口２６ｄを通して天井面１４付近のエアをノズル２０内へと吸引する。【選択図】  図１ 
2006010103.tif 000002
【特許請求の範囲】
【請求項１】
天井裏側にあるダクトから天井面を貫通して室内側まで伸びて少なくとも室内側でフレキシブルな部分を有するノズルを備え、ノズルの先端吹出し口からダクトからの空調エアを吹出すノズル空調吹出し装置において、
前記ノズルの室内側の天井面付近の側面に開口が設けられ、該開口を通して天井面付近のエアをノズル内へと吸引することを特徴とするノズル空調吹出し装置。
【請求項２】
前記ノズルは、前記開口よりも内径側に配設されて該開口に対向する面を有するガイド部を備えることを特徴とする請求項１記載のノズル空調吹出し装置。
【請求項３】
前記ガイド部とダクトとの間の空調エアの流路に少なくとも１つの絞り部が設けられることを特徴とする請求項２記載のノズル空調吹出し装置。
【発明の詳細な説明】
【技術分野】
【０００１】
本発明は、天井裏側にあるダクトから天井面を貫通して室内側まで伸びるノズルを備えて、ノズルの先端吹出し口から空調エアを吹出すノズル空調吹出し装置に関する。
【背景技術】
【０００２】
従来、厨房や食品等の工場等のような室内全体を空調することができない環境下において、作業員の存在する付近を局所的に空調するためのものとして、ノズル空調吹出し装置が知られている。このようなノズル空調吹出し装置では、天井裏側にあるダクトから天井面を貫通して作業員の存在する室内側位置まで伸びて少なくとも室内側でフレキシブルな部分を有するノズルを備えて、ノズルの先端吹出し口から空調エアを吹出すようになっている。
【０００３】
前述のように、このようなノズル空調吹出し装置は、室内全体を空調できない火や熱を使う環境下で使用されることが多く、そのような室内の天井付近はほとんど無風状態となっている。そのため、発生した熱気が天井付近で滞留する傾向となり、場合によっては、天井面に設定されている火災警報器が滞留した熱気によって誤作動する、という問題がある。
【０００４】
例えば、特許文献１では、空気が滞留するスペースが生じ換気が行なわれない場合に、室内に敷設した通風ダクトにエゼクター機能を有する分岐ダクトを設ける構成を開示する。
【０００５】
しかしながら、かかる公報の構成では、分岐ダクトを通風ダクトに挿入設置するために、構成が複雑になり、施工コストがかかる、という問題がある。
【０００６】
【特許文献１】実願平２−２７２８６号（実開平３−１１８４５４号）のマイクロフィルム
【発明の開示】
【発明が解決しようとする課題】
【０００７】
本発明はかかる課題に鑑みなされたもので、その目的は、簡単な構成で、効果的に天井付近の空気を循環させることができ、熱気の滞留を防ぐことができるノズル空調吹出し装置を提供することである。また、本発明の他の目的は、ノズルの結露を防ぐことができるノズル空調吹出し装置を提供することである。
【課題を解決するための手段】
【０００８】
上記目的を達成するために、本発明のうち請求項１記載の発明は、天井裏側にあるダクトから天井面を貫通して室内側まで伸びて少なくとも室内側でフレキシブルな部分を有するノズルを備え、ノズルの先端吹出し口からダクトからの空調エアを吹出すノズル空調吹出し装置において、
前記ノズルの室内側の天井面付近の側面に開口が設けられ、該開口を通して天井面付近のエアをノズル内へと吸引することを特徴とする。
【０００９】
請求項２記載の発明は、請求項１記載の前記ノズルが、前記開口よりも内径側に配設されて該開口に対向する面を有するガイド部を備えることを特徴とする。
【００１０】
請求項３記載の発明は、請求項２記載のものにおいて、前記ガイド部とダクトとの間の空調エアの流路に少なくとも１つの絞り部が設けられることを特徴とする。
【発明の効果】
【００１１】
本発明によれば、ダクトからの空調エアがノズルを流れる際に、ノズルの側面に設けられた開口から天井面付近のエアがノズル内へと吸引されて、空調エアと共にノズル内を流れることとなる。この開口への誘引により天井面付近において空気の流れが発生し、空気が循環されて、熱気の滞留を防ぐことができる。
【００１２】
また、天井面付近における室温または室温よりも高い熱気は、開口から吸引された後、ノズルの内周面に沿って流れていくために、ノズルの内外の気温差が縮小され、よって、ノズルへの結露の発生を抑制することができる。
【００１３】
請求項２記載の発明によれば、ガイド部によってノズルから開口へと空調エアが流れ出すのを防ぐことができ、ガイド部と開口との間に形成される負圧によって、天井面付近のエアのノズル内への吸引を促進させることができるようになる。
【００１４】
請求項３記載の発明によれば、絞り部によって、ガイド部を通過する空調エアの流速を高めて、天井付近のエアの誘引効果を高めることができる。
【発明を実施するための最良の形態】
【００１５】
以下、図面を用いて本発明の実施の形態を説明する。
【００１６】
図１は本発明の実施形態に係るノズル空調吹出し装置の全体斜視図、図２はその正面図である。図においては、ノズル空調吹出し装置１０は、天井裏側にあるダクト１２から天井面１４を貫通して室内側まで伸びるノズル２０を有している。ダクト１２からノズル２０には、図示しないファンからの空調エアが供給されるようになっている。
【００１７】
ノズル２０は、ダクト１２に上端が接続される上部の案内ノズル２２と、天井面１４に上端が固定されて下方へと伸びるノズル本体２４と、から構成される。
【００１８】
ノズル本体２４はさらに、上部の誘引管２６と、下部のフレキシブル管２８とから構成される。
【００１９】
下部のフレキシブル管２８は、例えば、硬質塩化ビニルチューブ等の伸縮可能及び屈曲可能な管から構成され、その下端には先端吹出し口２９を画成するエンドキャップ３０が装着されている。フレキシブル管２８は、先端吹出し口２９が、空調エアを吹出すのに適当な位置に位置づけることができるような長さに設定されている。
【００２０】
誘引管２６は、例えば、亜鉛、ステンレス等の金属管から構成され、フレキシブル管２８よりも大きな外径となるように拡径された上部の拡径部２６ａと、拡径部２６ａの下端部から下方に向ってフレキシブル管２８とほぼ同じ外径になるまで漸次外径が小さくなるテーパー部２６ｂと、を有している。拡径部２６ａの上端部には、天井面１４への取付フランジ２６ｅが形成されている。拡径部２６ａの側面には、周方向に適宜間隔をあけて複数（図示の例では４つ）の側面開口２６ｄが形成されている。側面開口２６ｄは、天井面１４近傍に位置するように、且つ天井面１４に接近しすぎないような高さ位置に設定されるとよく、例えば、取付フランジ２６ｅから側面開口２６ｄの上辺までの長さが、３０ｍｍ〜１５０ｍｍ程度となるように設定するとよい。これにより、側面開口２６ｄを、天井面１４付近に滞留する熱気に対応させることができると共に、側面開口２６ｄによって発生する後述の誘引風により天井面１４自体を汚すことを防ぐことができる。
【００２１】
案内ノズル２２は、例えば、亜鉛、ステンレス等の金属管から構成され、ダクト１２と直接的または間接的に接続される拡径部２２ａと、拡径部２２ａの下端部から下方に向って漸次外径が小さくなるテーパー部２２ｂと、テーパー部２２ｂに連なる縮径部２２ｃとを有している。縮径部２２ｃは、ノズル本体２４と同心状に整列され、且つその下部が前記誘引管２６の内部まで伸びて、ノズルの軸心方向において、誘引管２６の側面開口２６ｄに重なり合うようにして、天井面１４またはノズル本体２４に固定される。即ち、縮径部２２ｃの下端部は、誘引管２６の側面開口２６ｄの高さよりも低い位置に位置づけられて、側面開口２６ｄに対向する面となるガイド部として機能する。
【００２２】
また、案内ノズル２２の外周囲には、断熱材２３が被覆されている。
【００２３】
以上のように構成されるノズル空調吹出し装置１０にあっては、ダクト１２からの空調エアが、案内ノズル２２からノズル本体２４へと流れて、フレキシブル管２８の先端吹出し口２９から吹出される。これによって、先端吹出し口２９付近の空間を局所的に空調することができる。フレキシブル管２８を伸縮・屈曲させて任意の局所に空調エアを吹出すことができる。
【００２４】
このとき、ノズル本体２４の誘引管２６においては、案内ノズル２２の下部からの空調エアがフレキシブル管２８へと向って吹出されており、誘引管２６と案内ノズル２２との間に形成される環状の空間は負圧となり、側面開口２６ｄからは、天井付近のエアがノズル本体２４内へと吸引されて、この誘引風が空調エアと共にノズル本体２４内を流れることとなる。この側面開口２６ｄへの誘引により、天井面付近においても空気の流れが発生し、空気が循環されるようになる。よって、天井面の熱気を排除することができる。
【００２５】
また、天井面付近における室温または室温よりも高い熱気は、側面開口２６ｄから吸引された後、フレキシブル管２８の内周面に沿って流れていくために、フレキシブル管２８の内外の気温差が縮小され、よって、フレキシブル管２８への結露の発生を抑制することができる。
【００２６】
案内ノズル２２において、空調エアは拡径部２２ａからテーパー部２２ｂを介して縮径部２２ｃへと流れ、この際に、テーパー部２２ｂが絞り部となって案内ノズル２２から吹出される空調エアの流速が縮径部２２ｃにおいて高められているために、天井付近の空気の誘引効果が一層高められる。
【００２７】
また、側面開口２６ｄが形成された誘引管２６の拡径部２６ａと案内ノズル２２の縮径部２２ｃとの間で適度な環状空間が形成されることで、天井付近の空気の誘引効果が一層高められる。
【００２８】
ノズル本体２４の側面に側面開口２６ｄを設けるだけの構成であるため、簡単に構成することができ、簡単な構成に比してその効果が絶大である。
【実施例】
【００２９】
以下の条件によって構成される実施例において、その誘引効果についての確認を行なった。
【００３０】
ノズル本体２４の最大全長：７００ｍｍ
案内ノズル２２の拡径部２２ａの内径：１５０φ
案内ノズル２２の縮径部２２ｃの内径：１００φ
誘引管２６の拡径部２６ａの内径：２００φ
側面開口２６ｄの寸法、高さ×幅：３５ｍｍ×１００ｍｍ  （周方向に４個）
側面開口２６ｄの上辺の天井面からの距離：５０ｍｍ
フレキシブル管２８の内径：１５０φ
【００３１】
側面開口２６ｄを設けない場合に、ノズル本体２４の先端吹出し口２９から吹出される風速を標準風速とし、その標準風速に対して、側面開口２６ｄを設けた場合の、ノズル本体２４の先端吹出し口２９における風速及び風量、側面開口２６ｄにおける風速及び風量を測定した。その結果を以下に示す。
【００３２】
【表１】
2006010103.tif 000003
【００３３】
以上の表から、標準風速に比較して、側面開口２６ｄを設けている場合、先端吹出し口２９からの流速が上がり、即ち風量が、１２０から１３５％程度、増加することが分かり、その増加分が側面開口２６ｄから誘引される風にほぼ対応していることが分かる。これにより、天井面の熱気を効果的に排除することができることが分かる。
【図面の簡単な説明】
【００３４】
【図１】本発明の実施形態に係るノズル空調吹出し装置の全体斜視図である。
【図２】図１のノズル空調吹出し装置の正面図である。
【図３】図１の誘引管の正面図である。
【図４】図１のノズルの断面図である。
【符号の説明】
【００３５】
１０  ノズル空調吹出し装置
１２  ダクト
１４  天井面
２０  ノズル
２２  案内ノズル
２２ｂ  テーパー部（絞り部）
２２ｃ  縮径部（ガイド部）
２６ｄ  側面開口
【図１】
2006010103.tif 000004
【図２】
2006010103.tif 000005
【図３】
2006010103.tif 000006
【図４】
2006010103.tif 000007